(57)【特許請求の範囲】
【請求項１】
取水管先端部の沈下、滑落を防止する台座と、台座の上面に位置する固定材と、その固定材に設けられた取水管の保持部材とからなり、その保持部材を、上向きに弯曲した下部半割管と上部緊結部材とから形成してなることを特徴とする取水口装置。
【請求項２】
上記保持部材の上端部を分割部材との掌合によりラッパ状に拡開して開口部に形成してなることを特徴とする請求項１記載の取水口装置。
【請求項３】
上記取水管の取水口となる開口端部にフロートを取付け、そのフロートにより取水管を直立状態に維持してなることを特徴とする請求項１記載の取水口装置。
【発明の詳細な説明】
【０００１】
【発明の属する技術分野】
この発明は、海底に設置して海水を地上に取水する場合に使用する取水口装置に関するものである。
【０００２】
【発明が解決しようとする課題】
これまでの海水の取水は、海底面の底質物を吸込まないように、取水口を海底面から３〜５ｍほど離れた所に設置するようにしている。海底面が比較的平坦で土砂地盤のところでは、鋼製フレームによる高さ５ｍほどの角錐状の受架台を使用し、その頂部に取水管を縦に取付けて開口端による取水口を上向きに設置している。
【０００３】
また岩錘・岩磯地盤等の傾斜面では、図４に示すように、底部の横幅が少なくとも４ｍの角錐状の受架台１１の中央に、取水管１２を頂部から下向き取付け、その受架台１１を底部が沖合側に位置するように傾斜面に横に設置し、取水口１３が傾斜面１４から２ｍほど離れて位置するようにしている。
【０００４】
ところで海底には、浮泥が２０ｍほどの高さで滞留したり、底質が微粒分を含む海域で、潮流により粒子の舞い上がりが１０〜２０ｍの高さにも及ぶ海底もある。また地盤が超軟弱で、鋼製フレームによるこれまでの受架台では、接地面積が小さなことから、取水口装置が沈下したり滑落する海底もある。
このような海底で浮泥が舞い上がった底質物を吸込まないように、また沈下や滑落などをしないように取水口位置を保持したり、波浪や海流等の外力に対して移動しないようにするには、下記項目を満すものでなければならない。
【０００５】
▲１▼  海底面上、少なくとも３０ｍの高さに取水口が位置するように出来るだけ直立状態に設置できること、
▲２▼  超軟弱地盤であつても受架台が沈下や滑落せずに、設定高さ位置に取水口を設置できること、
▲３▼  受架台が潮流、地震などの外力に耐えて転倒することなく取水口を設定高さに維持する構造からなること、
▲４▼  浮遊曳航法やレイバージ法等による大深度敷設に適応し、沈設が容易に行える構造からなること。
【０００６】
この発明は、上記事情から考えられたものであって、その目的は、開口端が取水口となる取水管を上向きに弯曲保持する半割管状の部材と、沈下及び滑落防止部材として作用する台座と、フロートなどの採用により、簡単な構造で上記要望に答え得る新たな構成の取水口装置を提供することにある。
【０００７】
【課題を解決するための手段】
上記目的によるこの発明は、取水管先端部の沈下、滑落を防止する台座と、その台座の上面に位置する固定材と、固定材に設けられた取水管の保持部材とからなり、その保持部材を、上向きに弯曲した下部半割管と上部緊結部材とから形成してなる、というものである。
またこの発明は、上記保持部材の上端部を分割部材との掌合によりラッパ状に拡開して開口部に形成してなるというものであり、さらに取水口となる上記取水管の開口端部にフロートを取付け、そのフロートにより取水管を直立状態に維持してなるというものである。
【０００８】
【発明の実施の形態】
図中１は海底に設置される台座で、平鋼や溝型鋼を上下に重ねて格子状に組立てた長方形のものからなる。
２，２は上記台座１の上面中央に所要間隔を空けて並設した固定材で、上部中央を半円形の凹部に形成した鋼板からなる。
３は台座１の端部中央に内向きに立設した縦長の支持材で、内辺を弯曲形成した鋼板からなり、その支持材３と台座上面とにわたり形成された隅部に沈設用のワイヤー係止部５が取付けてある。また支持材３の両側には補強用の鋼板４，４が施してある。
【０００９】
６は取水管７の保持部材で、内面にゴム等の緩衝材が被覆してあり、取水管７を固定又は半固定状に保持する内径を有するもので、一端部が上向きに弯曲した下部半割管６ａと上部緊結材６ｂとからなる。また下部半割管６ａの上端部は分割部材６ｃとの掌合によりラッパ状に拡開形成された開口部８となっている。
【００１０】
図示の保持部材６では、下部半割管６ａをラッパ状の開口部８の半部を形成する上端部まで一連のものとして、取水管７を許容曲率半径で強制的に曲げることができる曲率に弯曲形成し、所要数の半割管片による上部緊結材６ｂ，６ｂを、所定間隔ごとに取水口側に向けて順次ボルトセットすることで、取水管７を１／４円状に上向きに屈曲かつ半固定できるようにしてある。
【００１１】
なお、上部緊結材６ｂとしては、図示のような半割管片が最も好ましいが、帯状バンド、丸鋼、ワイヤーなど通常に用いられている緊結材を上部緊結材６ｂとして使用することもできる。
【００１２】
上記取水管７の開口端の両側には、フロート１０，１０がフランジ９ａを設けて取付けてある。これにより流れ等の外力に対して一定以上に取水口９の位置が変わらないように浮力をつけて、直立状態を維持している。
【００１３】
このような構成による取水口装置は、図３に示すように、ワイヤー係止部５に吊降ワイヤー１５をフックして曳航することができる。また台座１が格子状で重量を有し、面内を海水が流通するために沈下抵抗が少なく、フロート１０，１０による浮力により直立状態にある取水管７が回転抵抗となることなどから、大深度敷設に際しても装置全体の姿勢が保たれ、設定通りに装置を沈設して取水口９を海底面１４から高く離して設置することができる。
【００１４】
また図示のように、フロート１０，１０により取水口９が浮泥帯１６よりも高く直立状態に維持されるので、浮泥を含まない海水１７を取水することができ、取水口９が潮流により海中を揺動しながら浮遊することがあつても、フロート１０の浮力により取水管７の立ち上がり部分が鉛直に保持されることになり、ラッパ状の開口部８の内面との接触により取水管７が支えられて取水口９を設定範囲内に維持するとともに、開口内面の曲面による支持によって、取水管７の折り曲がりも防止されるようになる。
【００１５】
さらにまた、台座１を平鋼や溝型鋼等の鋼材により格子状に形成して設置面積を大きく構成することにより、潮流や地震等の外力により転倒し難く、海底面が超軟弱地盤であっても沈下せず、傾斜面においても格子目によって滑り抵抗が生ずるので、その姿勢を保つことができる。
【００１６】
したがって、海底面の状態に左右されず常に正規の設定状態を保ち、浮泥や舞い上り粒子などの吸込みが防止されて、浮泥の含まない海水１７の常時取水が可能となる。また構造的にも台座１上に保持部材６をもって取水管７を上向きに弯曲形成して固定又は半固定するだけよいので簡単であり、低コストでの製造が可能となる。
【図面の簡単な説明】
【図１】  この発明に係わる海水の取水口装置の側面図である。
【図２】  図１のＡ−Ａ線断面図（Ａ）とＢ−Ｂ線断面図（Ｂ）である。
【図３】  傾斜海底面への設置状態を示す説明図である。
【図４】  従来の取水口装置の傾斜海底面への設置状態を示す説明図である。
【符号の説明】
１      台座
２      固定材
３      縦材
４      補強材
５      沈設用のワイヤー係止部
６      保持部材
６ａ    下部半割管
６ｂ    上部半割管
６ｃ    開口部形成用の分割部材
７      取水管
８      ラッパ状の開口部
９      取水口
９ａ    フランジ
１０      フロート
１５      吊降ワイヤー
１６      浮泥帯
１７      浮泥を含まない海水
【図１】
0003677729.tif 000002
【図２】
0003677729.tif 000003
【図３】
0003677729.tif 000004
【図４】
0003677729.tif 000005